(57)【要約】【課題】加飾部分が容器本体や蓋体から部分的にでも剥がれたり、また脱落したりすることがないという要請に応え、かつまた購買者が好みに応じて外観を選ぶことができる自由度を高めることが可能な化粧料容器を提供する。【解決手段】容器本体とこれを開閉する蓋体６とを有する化粧料容器において、蓋体にこれを覆って交換可能に重ね合わせて装着される弾性変形可能な交換用カバー７と、蓋体と交換用カバーとの間に設けられ、蓋体に交換用カバーをスライド自在に係合させる、スライド用リブ１６とスライド用溝２２からなるスライド係合部と、蓋体と交換用カバーとの間に設けられ、当該蓋体に、スライドされる交換用カバーを係止する、係止片１８と係止突起２６とからなる係止部と、蓋体に設けられ、交換用カバーを係止部から離脱させるために交換用カバーの弾性変形を許容する窪み部２４とを備えた。【選択図】　　　　　図２
2004135948.tif 000002
【特許請求の範囲】
【請求項１】
容器本体とこれを開閉する蓋体とを有する化粧料容器において、
上記蓋体および上記容器本体の少なくともいずれか一方に、これらを覆って交換可能に重ね合わせて装着される弾性変形可能な交換用カバーと、上記蓋体もしくは上記容器本体と上記交換用カバーとの間に設けられ、これら蓋体もしくは容器本体に該交換用カバーをスライド自在に係合させるスライド係合部と、上記蓋体もしくは上記容器本体と上記交換用カバーとの間に設けられ、当該蓋体もしくは容器本体に、スライドされる該交換用カバーを係止する係止部と、上記蓋体もしくは上記容器本体に設けられ、上記交換用カバーを上記係止部から離脱させるために該交換用カバーの弾性変形を許容する窪み部とを備えたことを特徴とする化粧料容器。
【請求項２】
前記蓋体もしくは前記容器本体と前記交換用カバーとの間には、該交換用カバーを当該蓋体もしくは容器本体に保持する保持部が設けられていることを特徴とする請求項１に記載の化粧料容器。
【発明の詳細な説明】
【０００１】
【発明の属する技術分野】
本発明は、加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器に関する。
【０００２】
【従来の技術】
一般に化粧料容器は、化粧料を収納する容器本体と、この容器本体を開いたり閉じたりする蓋体とを備えて構成されている。そして化粧料容器の外観をなすこれら容器本体や蓋体に対しては、そのデザイン性を高めるために、従来からさまざまな方法によって加飾が施されている。例えば、スパッタリングなどによって表面処理を行ったり、転写シートを用いて文字や模様などを転写したり、あるいは模様などを付した上に透明・半透明の層を重ねたりするなどして、容器本体や蓋体に装飾を施すようにしていた。
【０００３】
なお、本願出願人は、関連する先行出願として、特願２００１−２４９０００を出願している。
【０００４】
【発明が解決しようとする課題】
ところで、従来の化粧料容器にあっては、製品としての化粧料容器を高級感溢れる高い品質で提供するという目的で、加飾部分が容器本体や蓋体から部分的にでも剥がれたり、また脱落したりすることがないように、上記いずれの加飾方法にあっても、容器本体や蓋体に対し加飾部分が一体不可分となるように互いに分離不能に一体的に形成しなければならないという要請があった。
【０００５】
このような要請は反面、化粧料容器の外観が生産者の選定したデザインに限定されることを意味し、購買者が化粧料容器の意匠的外観を、好みに応じて自由に選べるようにすることを妨げていた。このため、購買者は気に入ったデザインの化粧料容器を見つけることができず、これが買い控えの一因になっていたと考えられる。
【０００６】
本発明は上記従来の課題に鑑みて創案されたものであって、加飾部分が容器本体や蓋体から部分的にでも剥がれたり、また脱落したりすることがないという要請に応えることができ、かつまた購買者が好みに応じて外観を選ぶことができる自由度を高めることが可能な化粧料容器を提供することを目的とする。
【０００７】
【課題を解決するための手段】
本発明にかかる化粧料容器は、容器本体とこれを開閉する蓋体とを有する化粧料容器において、上記蓋体および上記容器本体の少なくともいずれか一方に、これらを覆って交換可能に重ね合わせて装着される弾性変形可能な交換用カバーと、上記蓋体もしくは上記容器本体と上記交換用カバーとの間に設けられ、これら蓋体もしくは容器本体に該交換用カバーをスライド自在に係合させるスライド係合部と、上記蓋体もしくは上記容器本体と上記交換用カバーとの間に設けられ、当該蓋体もしくは容器本体に、スライドされる該交換用カバーを係止する係止部と、上記蓋体もしくは上記容器本体に設けられ、上記交換用カバーを上記係止部から離脱させるために該交換用カバーの弾性変形を許容する窪み部とを備えたことを特徴とする。これにより、加飾部分が容器本体や蓋体から部分的にでも剥がれたり、また脱落したりすることがないという要請に応えることができ、かつまた購買者が好みに応じて外観を選ぶことができる自由度を高めることが可能となる。
【０００８】
また、前記蓋体もしくは前記容器本体と前記交換用カバーとの間には、該交換用カバーを当該蓋体もしくは容器本体に保持する保持部が設けられていることを特徴とする。これにより、蓋体もしくは容器本体に係止されるスライド自在な交換用カバーを固定的にしっかりと蓋体に保持することが可能となる。
【０００９】
【発明の実施の形態】
以下に、本発明にかかる化粧料容器の好適な一実施形態を、添付図面を参照して詳細に説明する。本実施形態にかかる化粧料容器１は図１〜図５に示すように、収納凹部２が形成された皿状の合成樹脂製容器本体３と、容器本体３の前後長さ方向後端にヒンジ４を介して上下方向へ回動自在に連結されて容器本体３を開閉するとともに、容器本体３の前端にフック５を介して係脱自在に係合されて当該容器本体３の閉止状態を維持する板体状の合成樹脂製の蓋体６と、蓋体６および容器本体３の少なくともいずれか一方、図示例にあっては蓋体６に着脱自在に重ね合わせて装着され、交換可能に蓋体６を覆う弾性変形可能な板体状の合成樹脂製の交換用カバー７とから主に構成される。
【００１０】
交換用カバー７の材質は合成樹脂製に限らず、金属製であってもよい。また、交換用カバー７は容器本体３を覆って設けられてもよく、また蓋体６および容器本体３の双方に設けられてもよい。図示例にあっては、これら容器本体３、蓋体６、並びに交換用カバー７は平面外形輪郭が矩形状に形成されているけれども、多角形状や円形状であってもよい。蓋体６の裏面には、鏡８が取り付けられている。
【００１１】
フック５は、容器本体３の前端に形成された凹所９内に突設されたフック用突起１０と、蓋体６の前端から垂下されてフック用突起１０に係脱自在に係合されるフック片１１とから構成される。またヒンジ４は、容器本体３の後端から一対突設されたヒンジ片１２間に、蓋体６の後端から垂下させたヒンジブロック１３が挟み込まれ、これらヒンジブロック１３からヒンジ片１２にわたって、容器本体３の左右幅方向にヒンジピン１４が挿入されることで構成される。
【００１２】
交換用カバー７は、化粧料容器１、本実施形態にあっては蓋体６の意匠的外観を購買者が好みに応じて自由に選べるように、各種のさまざまな加飾が施されたものが用意されるようになっている。これら交換用カバー７に施される加飾部分は、部分的にでも剥がれたり、また脱落したりすることがないように、交換用カバー７に対し、一般周知の方法によって一体不可分に分離不能に一体的に形成される。
【００１３】
さらに詳細に説明すると、交換用カバー７は、後端を除いて、その周縁から蓋体６に向かって垂下させて垂下部１５が形成される。垂下部１５のうち、交換用カバー７の左右幅方向の一対の垂下部１５にはそれぞれ、交換用カバー７の前後方向に沿って相当の長さでかつ内側に突出させて、スライド用リブ１６が形成される。交換用カバー７前端の垂下部１５には、交換用カバー７の幅方向に適宜間隔を隔ててかつ内側に突出させて、２つの保持突起１７が形成される。
【００１４】
また交換用カバー７には、その後端から後方へ突出させて、係止片１８が形成される。係止片１８の先端には、上向きの凸部１９が形成される。そして交換用カバー７は、前端および左右の垂下部１５によって、係止片１８を備えた後端周辺が蓋体６に向かって十分に弾性変形できるようになっている。
【００１５】
他方、相当の厚さで板状に形成された蓋体６には、後端を除いて、その外周壁６ａ下端から水平方向外方へ突出させて、交換用カバー７の垂下部１５が載置される鍔部２０が形成される。また蓋体６の後端には、蓋体６の幅方向へ左右の鍔部２０間にわたって、蓋体６の上面６ｂから上方へ突出する膨出部２１が形成され、この膨出部２１には交換用カバー７の後端が当接されるようになっている。同様にして、蓋体６前端の外周壁６ａには、交換用カバー７前端の垂下部１５が当接されるようになっている。
【００１６】
外周壁６ａのうち、蓋体６の左右幅方向の一対の外周壁６ａにはそれぞれ、蓋体６の前端から後方へ向かって相当の長さでかつ内側に窪ませて、スライド用リブ１６が挿抜自在に挿入されるスライド用溝２２が形成され、これらスライド用溝２２およびスライド用リブ１６によって、蓋体６と交換用カバー７との間に、蓋体６に対して交換用カバー７をスライド自在に係合させるスライド係合部が設けられるようになっている。そしてスライド用リブ１６は、蓋体６の前端からスライド用溝２２に挿入されて、蓋体６の前後方向にスライドされる。これらスライド用リブ１６とスライド用溝２２とは、上下方向に互いに抜脱不能にかつ前後方向へスライド可能に、角付けされた出隅と入隅の関係をもって係合される。
【００１７】
また蓋体６前端の外周壁６ａには、交換用カバー７の保持突起１７と対応する箇所に、内側へ窪ませて、当該保持突起１７が挿抜自在に挿入される保持溝２３が形成され、これら保持溝２３と保持突起１７とによって、蓋体６と交換用カバー７との間に、交換用カバー７を蓋体６に保持する保持部が設けられるようになっている。これら保持突起１７と保持溝２３にあっても、上下方向に互いに抜脱不能にかつ前後方向へ係脱自在に、角付けされた出隅と入隅の関係をもって係合される。そして、保持突起１７は、交換用カバー７前端の垂下部１５が蓋体６前端の外周壁６ａに当接されることに応じて、保持溝２３と係脱自在に係合される。
【００１８】
さらに蓋体６には、交換用カバー７に面するその上面６ｂの膨出部２１側に窪み部２４が形成されるとともに、ヒンジブロック１３の幅方向中央部にその下端から膨出部２１にわたって、当該ヒンジブロック１３の背面部１３ａを残して一連に、窪み部２４と連通される縦溝２５が形成される。そして窪み部２４に向かって開放された縦溝２５の上端には、膨出部２１の頂面から下向きに突出させて係止突起２６が設けられ、これら係止突起２６および上記係止片１８によって、蓋体６と交換用カバー７との間に、スライドされる当該交換用カバー７を蓋体６に係止する係止部が設けられるようになっている。
【００１９】
これら係止突起２６と係止片１８の凸部１９にあっては、交換用カバー７のスライド方向である前後方向に互いに抜脱不能にかつ上下方向に係脱自在に、角付けされた出隅と入隅の関係をもって係合される。そして、係止片１８は、交換用カバー７後端が蓋体６後端の膨出部２１に当接されることに応じて、その凸部１９が係止突起２６の下から潜り込んで係止される。そしてさらに窪み部２４は、交換用カバー７を係止突起２６から離脱させるために、交換用カバー７と蓋体６との間にスペースＳを形成して当該交換用カバー７の押し下げによる弾性変形を許容するようになっている。
【００２０】
本実施形態にかかる化粧料容器１の作用について説明すると、化粧料容器１を購入した購買者が蓋体６に装着されている交換用カバー７を、他のデザインの新たな交換用カバー７に交換する際には、まず、窪み部２４上に位置する交換用カバー７の後端部分を押し下げて弾性変形させる。このように交換用カバー７を弾性変形させることで、図４に示すように係止片１８が係止突起２６よりも下方に押し下げられ、これによって係止部による係止が離脱される。
【００２１】
この状態で交換用カバー７を前方に向かって引く。交換用カバー７を引くと、スライド用溝２２に沿ってスライド用リブ１６が移動し、これに伴って図５に示すように係止片１８が膨出部２１から抜き出されるとともに、保持突起１７も保持溝２３から離脱されることになり、これにより交換用カバー７を蓋体６から取り外すことができる。
【００２２】
次いで、新たな交換用カバー７を蓋体６に装着する際には、蓋体６の前端からスライド用リブ１６をスライド用溝２２に差し込んで、交換用カバー７を後方に向かってスライドさせる。交換用カバー７の後端が膨出部２１に達すると、交換用カバー７の弾性変形を伴いながら、係止片１８は係止突起２６の下に潜り込んで係止され、またこれと同時に保持溝２３に保持突起１７が係合されることになり、これとともに交換用カバー７の垂下部１５が蓋体６の鍔部２０上に載置された状態で、交換用カバー７の後端および垂下部１５の前端が蓋体６の膨出部２１および外周壁６ａ前端と当接されて、これにより交換用カバー７を蓋体６に重ね合わせて装着することができる。
【００２３】
以上説明したように本実施形態にかかる化粧料容器１にあっては、蓋体６にこれを覆って交換可能に重ね合わせて装着される弾性変形可能な交換用カバー７と、蓋体６と交換用カバー７との間に設けられ、蓋体６に交換用カバー７をスライド自在に係合させる、スライド用リブ１６とスライド用溝２２からなるスライド係合部と、蓋体６と交換用カバー７との間に設けられ、当該蓋体６に、スライドされる交換用カバー７を係止する、係止片１８と係止突起２６とからなる係止部と、蓋体６に設けられ、交換用カバー７を係止部から離脱させるために交換用カバー７の弾性変形を許容する窪み部２４とを備えたので、交換用カバー７を交換することができ、化粧料容器１の外観が生産者の選定したデザインに限定されることがなく、化粧料容器１として、購買者が好みに応じて外観を自由度高く選ぶことができて、これにより購買意欲を高め得るものとすることができる。
【００２４】
また交換用カバー７としては、従来の蓋体などと同様に、加飾部分を一体不可分に互いに分離不能に一体的に形成すればよく、従って加飾部分が交換用カバー７から部分的にでも剥がれたり、また脱落したりすることがなくて、製品としての化粧料容器１を、従来と遜色のない高級感溢れる高い品質で提供することができる。
【００２５】
また主として、スライド用リブ１６とスライド用溝２２とからなるスライド係合部のスライド操作のみで簡単に交換用カバー７の脱着操作を行うことができる。また、蓋体６と交換用カバー７との間に、交換用カバー７を当該蓋体６に保持する、保持突起１７と保持溝２３からなる保持部を設けたので、スライド自在な交換用カバー７を固定的にしっかりと蓋体６に保持することができる。さらに、スライド用溝２２とスライド用リブ１６によって、蓋体６と交換用カバー７のスライド操作を案内することができて、安定した操作性を確保することができる。
【００２６】
また、交換用カバー７を弾性変形可能に形成するとともに、その弾性変形を許容する窪み部２４を蓋体６に設けたので、係止突起２６に対する係止片１８の係脱操作を容易化することができる。また、係止突起２６と係止片１８とを出隅と入隅の関係をもってスライド方向に抜脱不能に係合させたので、この構成からも交換用カバー７を蓋体６にしっかりと固定することができ、化粧料容器１に落下などによる衝撃が作用した場合に、交換用カバー７が簡単に脱落してしまうことを防止できる。
【００２７】
ところで、容器本体３、蓋体６、並びに交換用カバー７の平面外形輪郭を多角形状や円形状とした場合には、例えば蓋体６の上面６ｂにスライド凹溝を形成するとともに、交換用カバー７から垂下させてスライド凸条を形成するなどしてスライド係合部を構成すればよい。
【００２８】
上述した本実施形態にあっては、蓋体６に交換可能にこれを覆う交換用カバー７を着脱自在に設ける場合を例にとって説明したが、容器本体３に交換用カバー７を設ける場合には、容器本体３と交換用カバー７との間にスライド係合部や係止部、保持部を設けるようにし、また窪み部２４は容器本体３に設けるようにすればよい。
【００２９】
さらに、本実施形態にあっては、ヒンジ４やフック５を備えた化粧料容器１を例示して説明したが、これに限らず、容器本体３に対してネジ構造や径嵌合構造によって蓋体６を着脱するタイプの各種容器に適用してもよいことはもちろんである。
【００３０】
【発明の効果】
以上要するに、本発明にかかる化粧料容器にあっては、加飾部分が容器本体や蓋体から部分的にでも剥がれたり、また脱落したりすることがないという要請に応えることができ、かつまた購買者が好みに応じて外観を選ぶことができる自由度を高めることができる。
【図面の簡単な説明】
【図１】本発明にかかる化粧料容器の好適な一実施形態を示す側断面図である。
【図２】図１の化粧料容器の蓋体の一部破断分解斜視図である。
【図３】図１の化粧料容器の一部正面断面図である。
【図４】図１の化粧料容器の交換用カバーを弾性変形させて、係止部から離脱させた状態を示す要部拡大側断面図である。
【図５】図１の化粧料容器の交換用カバーをスライドさせて、取り外す過程を示す要部拡大側断面図である。
【符号の説明】
１　化粧料容器　　　　　　　　　　　３　容器本体
６　蓋体　　　　　　　　　　　　　　７　交換用カバー
１６　スライド用リブ　　　　　　　　１７　保持突起
１８　係止片　　　　　　　　　　　　１９　凸部
２２　スライド用溝　　　　　　　　　２３　保持溝
２４　窪み部　　　　　　　　　　　　２６　係止突起
【図１】
2004135948.tif 000003
【図２】
2004135948.tif 000004
【図３】
2004135948.tif 000005
【図４】
2004135948.tif 000006
【図５】
2004135948.tif 000007